(57)【要約】      （修正有）【課題】キャップが容器から不用意に離脱することを好適に防止すると共に、キャップの取り外し／取り付け動作をスムーズにする脱着性に優れた液体化粧料収納容器を提供する。【解決手段】棒状の塗布具２０を天板１１内面に対し直立状態で支持する内筒１０と、該内筒１０に対し同芯状に一体化された外筒３０とを備え、該内筒１０の下方部に形成された内筒凸部１３が容器６０の首部６３外周面に形成された容器凸部に引っ掛かる液体化粧料収納容器において、容器６０の首部６３に対し回転・上下方向の移動が自在である可動リング５０を設ける。なお、可動リング５０の首部６２外周面からの高さｈは、容器凸部６３の高さに等しいか、それ以上に設定する。【選択図】図２
2014147510.tif 000002
【特許請求の範囲】
【請求項１】
棒状の塗布具（２０）を天板（１１）内面に対し直立状態で支持する内筒（１０）と、該内筒（１０）に対し同芯状に一体化された外筒（３０）とを備え、該内筒（１０）の下方部に形成された内筒凸部（１３）が容器の首部外周面に形成された容器凸部（６３）に引っ掛かる液体化粧料収納容器であって、
前記容器（６０）の首部（６２）に回転かつ上下方向の移動が自在である可動リング（５０）を備えることを特徴とする液体化粧料収納容器。
【請求項２】
前記可動リング（５０）の側壁外周面には前記内筒凸部（１３）と嵌合する周状凹部（５１）が形成されている請求項１記載の液体化粧料収納容器。
【請求項３】
前記内筒凸部（１３）は前記内筒（１０）下方部において空間を介して間欠的に形成されている請求項１又は２記載の液体化粧料収納容器。
【請求項４】
前記内筒凸部（１３）は下端内縁においてテーパー面（１３ａ）を形成している請求項１から３の何れかに記載の液体化粧料収納容器。
【請求項５】
前記外筒（３０）側壁で、前記内筒（１０）下方部に対向する部分は相対的に薄肉側壁（３３）である請求項１記載の液体化粧料収納容器。
【請求項６】
前記塗布具（２０）は弾性体（４０）によって前記内筒（１０）から離脱する方向に付勢され該内筒（１０）内周面に対し相対移動可能である請求項１から５の何れかに記載の液体化粧料収納容器。
【請求項７】
前記外筒は一端開口円筒状形である請求項１から６の何れかに記載の液体化粧料収納容器。
【請求項８】
前記外筒は両端開口円筒状形である請求項１から６の何れかに記載の液体化粧料収納容器。
【請求項９】
前記可動リング（５０）の前記首部（６２）外周面からの高さ（ｈ）は、前記容器凸部（６３）の高さに等しいか或いはそれ以上に設定されている請求項１から８の何れかに記載の液体化粧料収納容器。
【請求項１０】
前記内筒凸部（１３）が前記容器（６０）に対し移動を停止した時に、該内筒凸部（１３）は前記可動リング（５０）の前記周状凹部（５１）の底部最深部または該最深部から軸方向下方にずれて該可動リング（５０）上に位置するように構成されている請求項１から９の何れかに記載の液体化粧料収納容器。
【発明の詳細な説明】
【技術分野】
【０００１】
本発明は、液体化粧料収納容器、特にキャップが容器から不用意に離脱することを好適に防止すると共に、キャップの取り外し／取り付け動作をスムーズにする脱着性に優れた液体化粧料収納容器に関するものである。
【背景技術】
【０００２】
マスカラ、アイライナー、リップブロス等の携帯型のメークアップ化粧品は、化粧料を収容する円筒状容器と、棒状のブラシ（アプリケータ）を天板内面に対し直立状態で支持するキャップとから成っており、容器口部近傍にはアプリケータが引き抜かれる際に余分な化粧料をアプリケータから除去する弾性体のしごき片、並びにしごき片に付着した余分な化粧料を除去するもどし片等が設けられている。
容器とキャップの結合方式としては、嵌め込み式（例えば、特許文献１を参照。）或いは、ねじ込み式（例えば、特許文献２を参照。）等が知られている。
上記メークアップ化粧品は、使用されない場合ハンドバック中に不安定な姿勢で置かれるのが普通である。従って、このような容器に使用される液体化粧料収納容器に対しては、キャップが容器から不用意に離脱しないことが求められる。
【先行技術文献】
【特許文献】
【０００３】
【特許文献１】特開２００３−３１９８２４号公報
【特許文献２】特開２００６−１２２６２１号公報
【発明の概要】
【発明が解決しようとする課題】
【０００４】
上記液体化粧料収納容器の場合、キャップが容器から離脱しにくくするために、キャップと容器との嵌合の程度を強くすることが考えられる。しかし、嵌合力が強いと逆にキャップが容器に対し容易に脱着しにくいという問題が発生する。つまり、従来の液体化粧料収納容器では、嵌合の程度と脱着性はトレードオフの関係にあった。
そこで、本発明は、上記従来技術の課題に鑑みなされたものであって、キャップが容器から不用意に離脱することを好適に防止すると共に、キャップの取り外し／取り付け動作をスムーズにする脱着性に優れた液体化粧料収納容器を提供することを目的とする。
【課題を解決するための手段】
【０００５】
上記技術的課題を解決するための本発明に係る第１手段は、棒状の塗布具を天板内面に対し直立状態で支持する内筒と、該内筒に対し同芯状に一体化された外筒とを備え、該内筒の下方部に形成された内筒凸部が容器の首部外周面に形成された容器凸部に引っ掛かる液体化粧料収納容器であって、
前記容器の首部に回転かつ上下方向の移動が自在である可動リング（５０）を備えることを特徴とする。
【０００６】
上記構成では、内筒凸部と容器凸部の各寸法を大きく確保することにより、キャップと容器の嵌合を強くしキャップが容器から不用意に離脱することを防止することが出来るようになる。
また、上記構成では、内筒凸部と容器凸部の各寸法を大きく確保した場合であっても、上記可動リングが内筒下方部を拡径（拡幅）させ、内筒凸部が容器凸部を乗り越え易くするようにすると共に、可動リングが容器凸部に接合する場合、容器凸部に因る首部外面の段差を小さくし又は平滑化することが可能となる。これにより、キャップと容器が強く嵌合されている場合であっても、キャップを容器からスムーズに取り外すことが可能となる。
更に、後述するように、内筒凸部の容器凸部に接合する部位がテーパー面を形成することにより、内筒凸部と容器凸部の各寸法を大きく確保した場合であっても、キャップを容器にスムーズに取り付けることが可能となる。
【０００７】
本発明に係る第２手段は、前記可動リングの側壁外周面には前記内筒凸部と嵌合する周状凹部が形成されている、ことにある。
【０００８】
上記構成では、内筒を容器に対し引き上げる時、内筒下方部が拡径（拡幅）した状態で可動リングを容器凸部に接合させ、これにより容器凸部に因る首部外面の段差を小さくし又は平滑化しキャップを容器からスムーズに脱着することが可能となる。
【０００９】
本発明に係る第３手段は、前記内筒凸部は内筒下方部において空間を介して間欠的に形成されている、ことにある。
【００１０】
上記構成では、内筒が容器に対し押し下げられる時、内筒下方部を可動リングによってスムーズに拡径（拡幅）させることが可能となる。
【００１１】
本発明に係る第４手段は、前記内筒凸部は下端内縁においてテーパー面を形成している、ことにある。
【００１２】
上記構成では、キャップを容器に取り付ける際、内筒凸部が容器凸部を乗り越えることが容易となる。他方、キャップを容器から取り外す際、内筒凸部を可動リング外周面上にスムーズに移動させ内筒下方部をスムーズに拡径（拡幅）させることが可能となる。
【００１３】
本発明に係る第５手段は、前記外筒側壁で、前記内筒の下方部に対向する部分は相対的に薄肉側壁である、ことにある。
【００１４】
上記構成では、外筒内周面と容器外周面との間に、内筒下方部が拡径するための空間を確保することが可能となる。
【００１５】
本発明に係る第６手段は、前記塗布具は弾性体によって前記内筒から離脱する方向に付勢され該内筒内周面に対し相対移動可能である、ことにある。
【００１６】
上記構成では、キャップの取り外し／取り付け動作において弾性体によって塗布具は容器口部に押し付けられた状態となり、キャップと容器との間の上下方向ガタをなくすことが出来ると共に、弾性体の作用によって、キャップの取り外し／取り付け作動がスムーズになる。
また、キャップと容器が嵌合した状態では、弾性体によって塗布具は容器口部に押し付けられるようになる。容器口部にはしごき片等のシール部材が取り付けられているため、塗布具が容器口部に押し付けられることにより、キャップと容器のシール性が向上するようになる。
【００１７】
本発明に係る第７手段は、前記外筒は一端開口円筒状形である、ことにある。
【００１８】
上記構成では、内筒を押し下げるための接触面を大きく確保することが可能となる。
【００１９】
本発明に係る第８手段は、前記外筒は両端開口円筒状形である、ことにある。
【００２０】
上記構成では、内筒を直接押し下げることが可能となる。
【００２１】
本発明に係る第９手段は、前記可動リングの前記首部外周面からの高さは、前記容器凸部の高さに等しいか或いはそれ以上に設定されている、ことにある。
【００２２】
上記構成では、キャップを容器からスムーズに取り外すことが可能となる。
【００２３】
本発明に係る第１０手段は、前記内筒凸部（１３）が前記容器（６０）に対し移動を停止した時に、該内筒凸部（１３）は前記可動リング（５０）の前記周状凹部（５１）の底部最深部または該最深部から軸方向下方にずれて該可動リング（５０）上に位置するように構成されている、ことにある。
【００２４】
上記構成では、内筒凸部の拡径状態を可動リングによって安定に保持することが可能となる。
【発明の効果】
【００２５】
本発明の液体化粧料収納容器によれば、内筒凸部と容器凸部の寸法を大きく確保することにより、キャップが容器から不用意に離脱することを好適に防止することが出来る。また、首部に回転かつ上下方向の移動が自在である可動リングを備えることにより、可動リングが内筒下方部を拡径（拡幅）させ、内筒凸部が容器凸部を乗り越え易くするようにすると共に、可動リングが容器凸部に接合する場合、容器凸部に因る首部外面の段差を小さくし又は平滑化することが可能となる。これにより、キャップと容器が強く嵌合されている場合であっても、キャップを容器からスムーズに取り外すことが可能となる。
更に、内筒凸部の容器凸部に接合する部位がテーパー面を形成することにより、内筒凸部と容器凸部の各寸法を大きく確保した場合であっても、内筒凸部が容器凸部を乗り越え易くするようにし、キャップを容器にスムーズに取り付けることが可能となる。
また、キャップ嵌合部を弾性体によって付勢することによって、キャップの取り外し／取り付け動作においてキャップと容器との上下方向のガタをなくし、キャップの取り外し／取り付け作動をスムーズにすると共にキャップと容器のシール性を好適に向上させる。
【図面の簡単な説明】
【００２６】
【図１】本発明の液体化粧料収納容器１００を示す全体断面図である。
【図２】本発明の液体化粧料収納容器１００を示す要部断面図である。
【図３】本発明に係る内筒を示す説明図である。
【図４】本発明の液体化粧料収納容器１００のキャップ取外し動作を示す説明図である。
【図５】本発明の液体化粧料収納容器１００のキャップ取外し動作を示す説明図である。
【図６】本発明の液体化粧料収納容器１００のキャップ取外し動作を示す説明図である。
【図７】本発明の液体化粧料収納容器１００のキャップ取外し動作を示す説明図である。
【図８】本発明の液体化粧料収納容器１００のキャップ取外し動作を示す説明図である。
【図９】本発明の液体化粧料収納容器１００のキャップ取外し動作を示す説明図である。
【図１０】本発明の液体化粧料収納容器の他の例を示す要部断面説明図である。
【発明を実施するための形態】
【００２７】
以下、図に示す実施の形態により本発明をさらに詳細に説明する。
【００２８】
図１−２は、本発明の液体化粧料収納容器１００を示す説明図である。なお、図１は全体断面図であり、図２は要部断面図である。
この液体化粧料収納容器１００は、塗布具２０を天板１１に対し直立状態で支持しながら塗布具２０のフランジ部２１によって容器６０の口部６１を封止する内筒１０と、アプリケータ部２２ａを先端に有する塗布具２０と、キャップ全体の把持部となる外筒３０と、塗布具２０を下方に付勢するスプリング４０と、内筒１０の下方部を拡径（拡幅）する可動リング５０と、内容物である化粧料を収容する容器６０と、容器６０（の口部６１）と塗布具２０（のフランジ部２１）との間をシールすると共に、塗布具２０のロッド部２２に付着した余分な内容物を除去するしごき片７０と、しごき片７０に付着した余分な内容物を除去するもどし片８０とを具備して構成されている。
【００２９】
容器６０の首部６２の外周面には、内筒凸部１３が引っ掛かる容器凸部６３が径方向外側に向けて設けられている。従って、内筒凸部１３と容器凸部６３の各（出っ張り）寸法を大きく確保することにより、キャップと容器の嵌合を強くしキャップが容器から不用意に離脱することを防止することが出来るようになる。一般に、キャップと容器の各出っ張り寸法を大きく確保した場合、キャップの容器に対する脱着性が悪くなるが、この液体化粧料収納容器１００では、後述する内筒凸部１３のテーパー面、および可動リング５０等によって、キャップの容器に対する取り外し／取り付け動作をスムーズに行うことが出来るように構成されている。
【００３０】
また、容器凸部６３の上部は、内筒凸部１３が容器凸部６３を乗り越え易くするようにテーパー面を形成している。
【００３１】
内筒１０の内部には、その側壁内周面に沿って塗布具２０が移動することが出来る空間が形成されている。また、内筒１０の側壁内周面には塗布具２０の移動の下限を規制すると共に塗布具２０を支持するための塗布具支持リング１２が設けられている。他方、内筒１０の外周面には外筒３０を支持し一体化する外筒支持リング１４が設けられている。
【００３２】
内筒１０の天板１１内面には、スプリング４０をその内側から保持するための円筒状の内スプリングホルダー１５が形成されている。
【００３３】
図３に示すように、内筒凸部１３は内筒１０の下方部を切り欠いた形態で間欠的に、本実施例では４個形成されている。その構成は、テーパー面１３ａ、垂直面１３ｂ、平坦面１３ｃおよび懸架部１３ｄから成っている。詳細については後述することにするが、内筒凸部１３にテーパー面１３ａを形成することにより、内筒凸部１３が容器凸部６３外周面を容易に乗り越えて容器凸部６３に嵌合することが出来るようになると共に可動リング５０上に容易に移動して拡径または拡幅することが出来るようになる。なお、内筒凸部１３の厚み、材質および個数等については、径方向外側に弾性的に変位（拡径または拡幅）することが出来るのであれば、特に制限はない。
【００３４】
再び、図２に戻り、塗布具２０は、しごき片７０を介して容器６０の口部６１に接合するフランジ部２１と、アプリケータ２２ａを先端で支持するロッド部２２と、スプリング４０を外側から支持する外スプリングホルダー２３とから成っている。塗布具２０は、内筒１０の側壁内周面に沿って塗布具支持リング１２から天板１１の間を移動することが出来る。
【００３５】
外筒３０は、その側壁内周面に内筒１０の外筒支持リング１４が嵌合する周凹部３１が形成されている。
【００３６】
外筒３０の側壁は、厚肉側壁３２および薄肉側壁３３から成る。薄肉側壁３３の形成位置・大きさは、内筒凸部１３に対応しており、内筒凸部１３が可動リング５０によって拡径される際、薄肉構造とすることにより内筒凸部１３が弾性的に拡径するための逃げ空間、いわゆるエスケープゾーンを形成している。
【００３７】
可動リング５０は、内筒凸部１３を拡径し、更には容器凸部６３に接合し容器凸部６３の段差を小さくし又は平滑化（平坦化）するためのリング部材であり、容器６０の首部６２外周面に対し回転・上下方向自在に移動することが出来る。なお、可動リング５０が容器凸部６３に接合した時の段差は必ずしもゼロ又はそれ以下でなくても良いが、内筒凸部１３がこの段差を容易に乗り越えるためには、段差はゼロかそれ以下の方が好ましい。従って、可動リング５０の首部６２外周面からの高さｈは、容器凸部６３の高さに等しいか、それ以上に設定されていることが好ましい。
【００３８】
また、詳細については、図４から図９を参照しながら後述するが、内筒１０、塗布具２０および外筒３０から成るキャップ全体を容器６０から容易かつスムーズに取り外すことができるように、可動リング５０の側壁外周面には周状凹部５１が形成されている。
【００３９】
図４から図９は、本発明の液体化粧料収納容器１００のキャップ取外し動作を示す説明図である。
先ず、図４に示すように、ユーザーが外筒３０を押し下げると、内筒１０が押し下げられ、内筒凸部１３のテーパー面１３ａが可動リング５０の上部に接合する。
【００４０】
さらに外筒３０を押し下げると、図５に示すように、可動リング５０によって内筒凸部１３を含む内筒１０下方部が拡径（拡幅）される。この時、内筒１０の垂直面１３ｂが可動リング５０の上部に接合して内筒１０は可動リング５０上に位置している。
【００４１】
さらに外筒３０を押し下げると、図６に示すように、内筒凸部１３は可動リング５０上を移動して可動リング５０の周状凹部５１に嵌合する。そして、内筒凸部１３が周状凹部５１の底部最深部、またはその最深部から軸方向下方にずれた可動リング（５０）上の位置まで移動した時に、内筒凸部１３は容器６０に対し停止し内筒１０の押し下げは完了し、内筒凸部１３の拡径状態は可動リング５０によって保持される。
【００４２】
次に、図７に示すように、外筒３０を引き上げると、内筒１０も引き上げられ、内筒凸部１３は拡径状態を保持したまま可動リング５０とともに上方へ引き上げられる。そして、可動リング５０が容器凸部６３の下面に当接して可動リング５０はそれ以上移動することが出来なくなる。
【００４３】
さらに外筒３０を引き上げると、図８に示すように、内筒凸部１３は可動リング５０の周状凹部５１から抜け出して容器凸部６３と可動リング５０の接合部に沿って上方へ移動する。
【００４４】
そして、さらに外筒３０を引き上げると、図９に示すように、内筒凸部１３は容器凸部６３を超えて、容器６０に対する内筒１０の閉栓は解除され、塗布具２０のロッド部２２の先端に設けられたアプリケータ部（図１の２２ａ）を利用することができるようになる。なお、可動リング５０については、内筒凸部１３による横方向の拘束力が作用しなくなるため、自重により下降し首部６２の下端で静止するようになる。その結果、容器凸部６３のアンダーカット面下方に、内筒凸部１３が再び嵌合するための空間が形成される。
【００４５】
なお、以上の説明は、本発明の液体化粧料収納容器１００のキャップ取外し動作に関するものであるが、キャップ取付け動作に関しては、図９において、外筒３０を押し下げることにより、内筒凸部１３のテーパー面１３ａが容器凸部６３のテーパー面に摺動し、続いて内筒凸部１３の垂直面１３ｂが容器凸部６３の垂直面に摺動し、そして、図２に示すように、内筒凸部１３の平坦面１３ｃが容器凸部６３のアンダーカット面に嵌合してキャップ取付け動作が完了する。上述した通り、内筒凸部１３にテーパー面１３ａを設けることにより、内筒凸部１３が容器凸部６３を乗り越え易くなる。
【００４６】
図１０は、本発明の液体化粧料収納容器の他の例を示す要部断面説明図である。
この液体化粧料収納容器２００では、ユーザーが内筒をダイレクトに押すことができるように、外筒３０ａは両端開口円筒形を成している。内筒１０ａの側壁外周面には外筒３０ａを支持するための外筒支持リブ１６が周状等間隔あるいは全周にわたり形成されている。他方、外筒３０ａ側壁内周面には外筒支持リブ１６が嵌合する周凹部３１ａが形成されている。
【００４７】
周凹部３１ａの底面には、半径方向内側に向いた周リブ３１ａａが２個形成されている。この周リブ３１ａａは、キャップの取り付け／取り外し動作を音によって特徴づけるためのものである。これにより、ユーザーはキャップの取り付け／取り外し動作を小気味よく行うことができる。なお、上記以外の液体化粧料収納容器２００の構成は上記液体化粧料収納容器１００と同じである。
【００４８】
以上の通り、本発明の液体化粧料収納容器１００，２００によれば、内筒凸部１３と容器凸部６３の寸法を大きく確保することにより、キャップが容器から不用意に離脱することを好適に防止することが出来る。また、首部６２に回転かつ上下方向の移動が自在である可動リング５０を備えることにより、可動リング５０が内筒１０下方部を拡径（拡幅）させ、内筒凸部１３が容器凸部６３を乗り越え易くするようにすると共に、可動リング５０が容器凸部６３に接合する場合、容器凸部６３に因る首部６２外面の段差を小さくし又は平滑化することが可能となる。これにより、キャップと容器が強く嵌合されている場合であっても、キャップを容器からスムーズに取り外すことが可能となる。
更に、内筒凸部１３の容器凸部６３に接合する部位がテーパー面１３ａを形成することにより、内筒凸部１３と容器凸部６３の各寸法を大きく確保した場合であっても、内筒凸部１３が容器凸部６３を乗り越え易くするようにし、キャップを容器にスムーズに取り付けることが可能となる。
また、キャップ嵌合部をスプリング４０によって付勢することによって、キャップの取り外し／取り付け動作においてキャップと容器との上下方向のガタをなくし、キャップの取り外し／取り付け作動をスムーズにすると共にキャップと容器のシール性を好適に向上させる。
【産業上の利用可能性】
【００４９】
本発明の液体化粧料収納容器は、マスカラ、アイライナー、リップブロス等の携帯型のメークアップ化粧品の収納容器に対し好適に適用される。
【符号の説明】
【００５０】
１０            内筒
１０ａ          内筒
１１            天板
１２            塗布具支持リング
１３            内筒凸部
１３ａ          テーパー面
１３ｂ          垂直面
１３ｃ          平坦面
１３ｄ          懸架部
１４            外筒支持リング
１５            内スプリングホルダー
１６            外筒支持リブ
２０            塗布具
２１            フランジ部
２２            ロッド部
２３            外スプリングホルダー
３０            外筒
３０ａ          外筒
３１            周凹部
３１ａ          周凹部
３１ａａ        周リブ
３２            厚肉側壁
３３            薄肉側壁
４０            スプリング
５０            可動リング
５１            周状凹部
６０            容器
６１            口部
６２            首部
６３            容器凸部
７０            しごき片
８０            もどし片
１００、２００  液体化粧料収納容器
【図１】
2014147510.tif 000003
【図２】
2014147510.tif 000004
【図３】
2014147510.tif 000005
【図４】
2014147510.tif 000006
【図５】
2014147510.tif 000007
【図６】
2014147510.tif 000008
【図７】
2014147510.tif 000009
【図８】
2014147510.tif 000010
【図９】
2014147510.tif 000011
【図１０】
2014147510.tif 000012